(57)【要約】      （修正有）【課題】トイレットペーパーの摘み代が、常に、見えていることを特徴とした、２枚一体構成のカバープレートを、単純な一枚型のカバープレートを有するペーパーホルダーに利用できるカバープレートを提供する。【解決手段】上、下２枚一体構成のカバープレートであって、上、下のカバープレートの幅員ｍを、単純な一枚型ロールペーパーホルダーのカバープレートの幅員とほぼ等しくし、上、下カバープレートの長さを短くして、全体を小型化し、又、上カバープレートの両側面から、下カバープレートと内装している圧縮スプリングを覆う形で、垂板５ａを下し、外見上ほぼ一枚型カバープレートと見える形状とし、既存のペーパーホルダーのホルダー本体を活用して、カバープレートを取り換える事により、摘み代が常に見えるペーパーホルダーに簡単に改良できる。【選択図】図３
0003221784.tif 000002
【実用新案登録請求の範囲】
【請求項１】
ロールペーパーの筒芯を両側から保持し、カバープレートを枢支する側板を有するロールペーパーホルダーで、前方部を弾性を有する薄板とした基板で側板に枢支された下カバープレートと、下カバープレートの上側で、前方にスライド可能な基板で、その先端部をペーパーカッターとする上カバープレートの先端の刃先と下カバープレートの先端部の薄板の先端とが接する形で、両カバープレートを、上、下に組み合わせて、一体として、カバープレートとしたペーパーホルダーにおいて、上、下のカバープレートの幅員を、市販されている単純な一枚型のカバープレートを備えたトイレットペーパーホルダーのカバープレートの幅員とほぼ同等とし、上、下カバープレートの基板の長さを、現在より短小化し、上カバープレートは、その基板の中央部側面の両側に、一枚の弾性薄板の幅広の鉤形連結手を下方に伸ばし、下カバープレートの基板の彫り欠き部に、弾性を利用して嵌め込み、下カバープレートの基板上で前後にスライド可能なものとし、上カバープレートの連結手以外の基板側面からは、連結手と独立させて、側面前方部は、下カバープレートの厚みの半分が隠れるまで、又、側面後方部と後辺部側面は、下カバープレートに触れないように下方に垂板を下し、上、下２枚のカバープレートを一体構成とし、既存のトイレットペーパーホルダーのカバープレートと交換可能としたカバープレート。
【考案の詳細な説明】
【技術分野】
【０００１】  本考案は、トイレットペーパーホルダーにおいて、ペーパー切断後、常に、ペーパーの摘み代が見える形でペーパーカットを行う上、下２枚一体構成のカバープレートに関するものである。
【背景技術】
【０００２】  現在、ペーパーの摘み代が、常に残って見える様式のトイレットペーパーホルダーは、カバープレートを保持するホルダー本体と、圧縮スプリングを挿入している上、下２枚一体構成のカバープレートとで構成されている。（例えば、特許文献１、実用新案文献２、文献３、参照。）
【先行技術文献】
【特許文献】
【０００３】
【特許文献１】公開特許公報  特開２０１５−２７５７４
【実用新案文献２】
実用新案  登録３２０４３９８
【実用新案文献３】
実用新案  登録３２１０５９０
【考案の概要】
【考案が解決しようとする課題】
【０００４】  上、下２枚一体構成のカバープレートを有するペーパーホルダーは、カバープレートを保持するホルダー本体の製作と、上、下２枚のカバープレートの間に挿入された圧縮スプリングなどの長期使用による塵埃汚染が懸念される形態の上、下２枚一体構成のカバープレートとで製作されている。
【課題を解決するための手段】
【０００５】  本考案は、上記、問題点を解決するため、上、下カバープレートの幅員を、市販されている単純な一枚型のカバープレートを備えたトイレットペーパーホルダーのカバープレートの幅員とほぼ同等とし、上、下カバープレートの基板の長さを、現在より短小化し、上カバープレートは、その基板の中央部側面の両側に、一枚の弾性薄板の幅広の鉤形連結手を下方に伸ばし、下カバープレートの基板の彫り欠き部に、弾性を利用して嵌め込み、下カバープレートの基板上で前後にスライド可能なものとし、上カバープレートの連結手以外の基板側面からは、連結手と独立させて、側面前方部は、下カバープレートの厚みの半分が隠れるまで、又、側面後方部と後辺部側面は、下カバープレートに触れないように下方に垂板を下し、上、下２枚のカバープレートを一体構成とし、既存のトイレットペーパーホルダーのカバープレートと交換可能なカバープレートとして形成することである。
【考案の効果】
【０００６】  本考案の小型化された上、下２枚一体構成のカバープレートは、カバープレートの幅員が、市販の単純な一枚型カバープレートを有するペーパーホルダーのカバープレートの幅員とほぼ同じなので、カバープレートを互いに交換することが出来、従って、既存のペーパーホルダーの本体を活用して、低コストで、常に、摘み代が残って見えるペーパーホルダーに改造できる効果がある。
【図面の簡単な説明】
【０００７】
【図１】  本考案の下カバープレートの斜視図。
【図２】  本考案の上カバープレートの斜視図。
【図３】  本考案の上、下カバープレートを一体化した一部欠損した斜視図。
【図４】  本考案の上、下カバープレートを備えたトイレットペーパーホルダーの一部欠損した側面図。
【考案を実施するための形態】
【０００８】  上、下２枚一体構成のカバープレートの上、下カバープレートの幅員の長さを、現在、一般家庭で使用している市販の単純な１枚型カバープレートを有するペーパーホルダーのカバープレートの幅員の長さとほぼ同等とし、一方、上、下２枚構成カバープレートのそれぞれの基板の長さを短くして、全体を小型化し、上カバープレートの中央部側面から、下カバープレートに下している連結手は幅広の１枚の連結手とし、それ以外の側面からは、内装している圧縮スプリングと下カバープレートの一部側面等を覆う形で垂板を下し、上、下２枚構成のカバープレートを、外見上、小型、単体のカバープレートのような形とし、現在使用中の単純な１枚型カバープレートを有するペーパーホルダーのホルダー本体を活用し、カバープレートを、本案のカバープレートと部品（キット）交換することにより、摘み代が常に見えるペーパーホルダーへの改良が行えるのである。
【実施例】
【０００９】  以下、添付図面に従って、一実施例を説明する。図１に示す、本考案の下カバープレート１は、その幅員ｍを、市販のロールペーパーホルダーの幅員とほぼ同じ幅員とし、図２の上カバープレート２は、基板の長さｎを短くし、従って、上、下カバープレートを、全体として、小型化し、上カバープレート２の両側面中央部分に巾広の一本の鉤形の連結手３ａ、３ｂを、下カバープレート１（図１）に伸ばして、下カバープレートを挟み込み、下カバープレートの前方側面の突起部４（図１）まで、ペーパーの摘み代の長さｄ（図３）だけ、前方にスライド可能とし、又、その連結手と独立させて、連結手の前方側面にそれぞれ垂板５ａ、５ｂ（図２）を、下カバープレートの側面６（図１）の厚さの半ばまで下し、圧縮スプリング７（図１）と、下カバープレート側面６の半分を覆い、又、連結手の後方側面にそれぞれ垂板８ａ，８ｂ（図２）を、後辺部側面から後辺部垂板９（図２）を、それぞれ下カバープレート１（図１）の上面１０（図１）近く迄、下し、上、下２枚構成のカバープレートを、外見上、全体として、図３の厚型の一枚のコンパクトなカバープレートに見えるように形成し、既存の単純な一枚型カバープレートを有するペーパーホルダーのカバープレートと相互に交換するものとし、その交換は、壁に取り付けている既存のペーパーホルダー本体の壁取付ねじを緩めることにより行い、交換後は、緩めたねじを元にもどして使用可能とするものとする。
【符号の説明】
【００１０】１          下カバープレート本体
２          上カバープレート本体
３ａ，３ｂ  鉤形の連結手（左右両側）
４          下カバープレートの前方側面の突起部
５ａ，５ｂ  上カバープレートの連結手の前方側面の垂板（左右両側）
６          下カバープレートの側面
７          圧縮スプリング
８ａ，８ｂ  上カバープレートの連結手の後方側面の垂板（左右両側）
９          上カバープレートの後辺部の垂板
１０        下カバープレートの上面
ｄ          ペーパーの摘み代の長さ（相当）
ｍ          上、下カバープレートの幅員
ｎ          上カバープレートの長さ
【図１】
0003221784.tif 000003
【図２】
0003221784.tif 000004
【図３】
0003221784.tif 000005
【図４】
0003221784.tif 000006